(57)【要約】ディスプレイをプリント回路基板に相互接続するための電気コネクタを開示する。本発明の一応用例は、液晶ディスプレイ（２２）（“ＬＣＤ”）と回路基板（２６）間の接続を実現する。コネクタ（２３）は、ディスプレイ（２２）のために光を透過するライトガイドとして、またディスプレイを回路基板と相互接続するための電気コネクタとして２重機能を果たすことができる。レッグ部材（２５）がコネクタ上に取り付けられ、レッグ部材は、電気的に連結するために１列の接触フット（２７）を含む。コネクタは、レッグ部材上で平行に取り付けられた複数の離隔されたＵ字形ストリップ部材（４３）を含むことができ、上向きに延びてディスプレイの接触パッド（３８）とその上部表面または下部表面上で弾性対合し、かつ下向きに延びてプリント回路基板（２６）の接触パッド（２８）と弾性対合する接触フット（４１，４２）を有する。
2004520630.tif 000002
【特許請求の範囲】
【請求項１】
ディスプレイをスタック構成で回路基板に相互接続するための電気コネクタであって、
光を透過してディスプレイを照明することが可能な材料から構成された絶縁本体と、
前記本体上に配置され、前記ディスプレイが電気的に接続される回路基板に隣接して配置するように構成された外側表面を有するレッグ部材と、
前記絶縁本体上に構成された少なくとも１つのコネクタ要素と
を具備することを特徴とするコネクタ。
【請求項２】
前記コネクタ要素は、前記ディスプレイと電気的に連結するように前記外側表面を超えて延びる第１の接触フットと、前記回路基板と電気的に連結するように前記外側表面を超えて延びる第２の接触フットとを具備し、
前記コネクタは、前記液晶ディスプレイおよび前記回路基板上に位置する電気的接触パッドと前記コネクタ要素を位置合わせするように配置されることを特徴とする、請求項１に記載のコネクタ。
【請求項３】
前記コネクタ要素は、第１の端部および第２の端部を有するＵ字形部材を具備し、前記Ｕ字形部材は、前記第１の端部上に画定された接触フットを有するアーム部分と、前記第２の端部上に画定された接触フットを有するアーム部分とを有し、前記コネクタ要素は、前記本体内に構成された前記レッグ部材に巻き付き、その上に嵌合する閉じた端部をさらに具備することを特徴とする、請求項２に記載のコネクタ。
【請求項４】
複数のコネクタ要素は、前記絶縁本体の前記レッグ部材上に整列することを特徴とする、請求項３に記載のコネクタ。
【請求項５】
開口が前記本体内に設けられ、その上に整列した複数のコネクタ要素を有する前記レッグ部材が前記本体から分離され、前記本体内の前記開口が、前記レッグ部材と前記本体間に少なくとも部分的に位置することを特徴とする、請求項４に記載のコネクタ。
【請求項６】
前記コネクタ要素の前記接触フットは、前記ディスプレイ上で接触パッドと対合するように適合されることを特徴とする、請求項４に記載のコネクタ。
【請求項７】
前記コネクタ要素の前記接触フットは、前記回路基板上で接触パッドと対合するように適合されることを特徴とする、請求項４に記載のコネクタ。
【請求項８】
前記コネクタ要素は、閉じた端部および反対側に面するアーム構成に曲げられたストリップ部材を具備し、前記接触フットは前記アーム上に画定され、少なくとも１つの前記アームは、前記ディスプレイの電気的接点に弾性力を加えるように適合されることを特徴とする、請求項３に記載のコネクタ。
【請求項９】
少なくとも１つの前記アームは、前記ディスプレイの電気的接点に弾性力を加えるように適合されることを特徴とする、請求項８に記載のコネクタ。
【請求項１０】
液晶ディスプレイの照明を助けるためのライトガイドとしても、液晶ディスプレイをスタック構成で回路基板に相互接続するための電気コネクタとしても動作するように適合された２重機能コネクタを有するディスプレイ装置であって、
（ａ）その下部表面上に接触パッドを有する液晶ディスプレイと、
（ｂ）その上部表面上に接触パッドを有する回路基板と、
（ｃ）上部および下部表面を有し、その上部表面上で前記液晶ディスプレイと、またその下部表面上で回路基板と電気的に接続するように適合されたコネクタとを具備し、
前記コネクタは、
ｉ）光を透過して前記液晶ディスプレイを照明することが可能な材料から構成された絶縁本体と、
ｉｉ）前記本体上に配置され、前記液晶ディスプレイがその下部表面上で電気的に接続される回路基板に隣接して配置するように構成された外側表面を有するレッグ部材と、
ｉｉｉ）前記絶縁本体と共に構成され、少なくとも１つのコネクタ要素が、前記コネクタの前記上部表面上で前記液晶ディスプレイの接触パッドと電気的に連結するように前記レッグ部材の前記外側表面を超えて延びる第１の接触フットと、前記コネクタの前記下部表面上で前記回路基板の接触パッドと電気的に連結するように前記レッグ部材の前記外側表面を超えて延びる第２の接触フットとを具備する複数の平行コネクタ要素と
を具備することを特徴とするディスプレイ装置。
【請求項１１】
少なくとも１つの前記平行コネクタ要素は、第１の端部および第２の端部を有するＵ字形部材を具備し、前記Ｕ字形部材は、前記第１の端部上に画定された接触フットを有するアーム部分と、前記第２の端部上に画定された接触フットを有するアーム部分とを有し、前記コネクタ要素は、前記本体内に構成された前記レッグ部材に巻き付き、その上に嵌合する閉じた端部をさらに具備することを特徴とする、請求項１０に記載のディスプレイ装置。
【請求項１２】
少なくとも２つの前記コネクタ要素は、第１の端部および第２の端部を有するＵ字形部材を具備し、前記Ｕ字形部材は、前記第１の端部上に画定された接触フットを有するアーム部分と、前記第２の端部上に画定された接触フットを有するアーム部分とを有し、前記コネクタ要素が、前記本体内に構成された前記レッグ部材に巻き付き、その上に嵌合する閉じた端部をさらに具備することを特徴とする、請求項１１に記載のコネクタ。
【請求項１３】
前記本体内に開口が設けられ、前記レッグ部材は、その上に整列した複数のコネクタ要素を含み、前記複数のコネクタ要素は、前記レッグ部材と前記本体間に前記本体内の前記開口が位置するように前記本体から分離されていることを特徴とする、請求項１２に記載のコネクタ。
【請求項１４】
前記コネクタ要素は、閉じた端部および反対側に面するアーム構成に曲げられたストリップ部材を具備し、前記接触フットは前記アーム上に画定され、少なくとも１つの前記アームは、前記液晶ディスプレイの電気的接点に弾性力を加えるように適合されることを特徴とする、請求項１２に記載のコネクタ。
【請求項１５】
少なくとも１つの前記アームは、前記液晶ディスプレイの電気的接点に弾性力を加えるように適合されることを特徴とする、請求項１４に記載のコネクタ。
【請求項１６】
液晶ディスプレイを回路基板に相互接続するためのシステムであって、
（ａ）接触パッドを有する液晶ディスプレイと、
（ｂ）その上部表面上に接触パッドを有する回路基板と、
（ｃ）上部および下部表面を有し、その上部表面上で前記液晶ディスプレイと、またその下部表面上で回路基板と電気的に連結するように適合されたコネクタとを具備し、
前記コネクタは、
ｉ）絶縁本体と、
ｉｉ）前記本体上に配置され、前記液晶ディスプレイが電気的に接続される回路基板に隣接して配置するように構成された外側表面を有するレッグ部材と、
ｉｉｉ）前記絶縁本体と共に構成され、少なくとも１つのコネクタ要素は第１の接触フットと第２の接触フットとを具備し、第１の接触フットは、前記コネクタの前記上部表面上で前記液晶ディスプレイの接触パッドと電気的に連結するように前記レッグ部材の前記外側表面を超えて延び、第２の接触フットは、前記コネクタの前記下部表面上で前記回路基板の接触パッドと電気的に連結するように前記レッグ部材の前記外側表面を超えて延びる、複数の平行コネクタ要素と
を具備することを特徴とするシステム。
【請求項１７】
少なくとも１つの前記コネクタ要素は、Ｕ字形部材で構成されることを特徴とする、請求項１６に記載のシステム。
【請求項１８】
前記Ｕ字形部材は、前記第１の端部上に画定された接触フットを有するアーム部分と、前記第２の端部上に画定された接触フットを有するアーム部分とを具備し、少なくとも１つのコネクタ要素が、前記本体内に構成された前記レッグ部材に巻き付き、その上に嵌合する閉じた端部をさらに具備することを特徴とする、請求項１７に記載のシステム。
【請求項１９】
前記コネクタは、位置決めピンをさらに具備することを特徴とする、請求項１８に記載のシステム。
【請求項２０】
前記接触フットが内側に湾曲し、それにより接触パッドと弾性接触を提供することを特徴とする、請求項１８に記載のシステム。
【請求項２１】
前記コネクタは、光を液晶ディスプレイ上に透過して前記ディスプレイを照明するように適合されることを特徴とする、請求項１６に記載のシステム。
【請求項２２】
前記コネクタの前記上部表面上における前記接触フットは、前記液晶ディスプレイの前記上部表面上で前記液晶ディスプレイの接触パッドと相互作用することを特徴とする、請求項１６に記載のシステム。
【請求項２３】
前記液晶ディスプレイは外側縁部を具備し、前記接触フットが前記液晶ディスプレイの前記外側縁部に巻き付き、かつ前記液晶ディスプレイの上面上に下向きに延び、前記液晶ディスプレイと電気的に連結することを特徴とする、請求項２２に記載のシステム。
【発明の詳細な説明】
【０００１】
（関連出願の相互参照）
本出願は、２００１年３月２９日に出願された「ＥＬＥＣＴＲＩＣＡＬ ＣＯＮＮＥＣＴＯＲＳ ＦＯＲ ＤＩＳＰＬＡＹ ＤＥＶＩＣＥＳ」という名称の米国特許出願第０９／８２１，８２８号に対する優先権を主張する。
【０００２】
（発明の背景）
本発明は、一般に電気コネクタに関し、より詳細には、液晶ディスプレイ（“ＬＣＤ”または“ＬＣＤ群”）などディスプレイデバイスをスタック構成（ｓｔａｃｋｅｄ ｃｏｎｆｉｇｕｒａｔｉｏｎ）で回路基板に相互接続するために使用される電気コネクタに関する。
【０００３】
電子アセンブリを接続するために従来技術の方法とデバイスが周知である。そのような方法とデバイスは、回路基板など隣接する電子構成部品に比較的小さな構成部品を接続するために使用される。
【０００４】
今日の電子構成部品の場合、ＬＣＤ群をそれぞれの関連電子構成部品に相互接続するための従来の方法およびデバイスに伴う著しい問題は、そのような接続と組み立てられた構成部品とに与えられるスペースが限られていることである。最終製品の全体サイズを削減するために、可能な場合にはそのような構成部品を垂直方向に“積み重ねる（ｓｔａｃｋ）”ことが望ましい。ＬＣＤ群は、垂直方向に積み重ねられた構成で構成することができる。ＬＣＤ群は、スタック内に組み込まれ、ＬＣＤの周縁部の周りで光を分配するように適合されたライトガイドデバイスと共に提供されることがしばしばである。たとえば、携帯電話上に取り付けられる一般的なＬＣＤアセンブリは、上部ディスプレイ部分と下部回路基板部分とを含む。ＬＣＤと回路基板の間には、光学的ライトガイドが挟まれている。ＬＣＤと回路基板の間に（すなわち、ライトガイドデバイスに隣接して）コネクタが設けられることもある。
【０００５】
従来、ＬＣＤ群はディスプレイの下に現れる接続部を使用し、半導体チップは、回路基板自体の上など、ディスプレイから離れて位置していた。しかし、現代のＬＣＤデバイスは、半導体チップを上部ディスプレイのガラス上に取り付けていることがある。上部ディスプレイのガラス上に取り付けられたチップは、いくつかの場合に役立つ。その理由は、その場合に行わなければならない通信数がより少ないため、ＬＣＤの表面上に設けなければならない接触パッドの総数が減少するためである。
【０００６】
一般に、ＬＣＤを回路基板と相互接続するように設計されたコネクタは、圧縮されると反発して戻るエラストマー材料またはフォーム材料から構成されている。たとえば、Ｌｉｐｐｍａｎｎの米国特許第５，７０９，５７６号は、ＬＣＤの端子パッドを、プリント配線板の対応する端子パッドと結合するエラストマーコネクタを開示している。検知パッドが端子ストリップ上に位置し、実質的に反対向きの接触パッド上の連続性試験（ｃｏｎｔｉｎｕｉｔｙ ｔｅｓｔ）によってパッドの位置合わせ（ｐａｄ ａｌｉｇｎｍｅｎｔ）が検証されるように構成されている。いくつかの応用分野では、そのようなエラストマー材料が変形後元の形状を取り戻そうとする傾向が、使用中にしっかりと押し付けられるサンドイッチ構造内で密接に関連して接点を保持するための手段として利用されていることがある。
【０００７】
米国特許第６，２２０，８９２号は、マイクロフォンを回路基板に接続するように設計されている絶縁本体（ｉｎｓｕｌａｔｉｎｇ ｂｏｄｙ）とマイクロフォンを相互接続する電気コネクタを対象とする。絶縁本体は、マイクロフォンを受けるための形状を有する内部レセプタクルを画定する。本体の外側表面は、マイクロフォンが電気的に接続される導電性部材、たとえば回路基板に隣接して配置するように構成される。１対のコネクタ要素が本体と共に構成される。
【０００８】
エラストマーコネクタは、ＬＣＤディスプレイ上の電気的接点接触パッドを、プリント回路基板上の電気的接点接触パッドと接続する無はんだ接点を特色にすることができる。しかし、そのようなエラストマーは弾力性を失うことがある。ある期間の後、そのようなＬＣＤ群内で電気的に接続が不完全になることが時々観察される。このタイプのエラストマー材料は通常、年数、熱、または年数と熱の組合せによりその弾力性のいくらかを失うゴムのような材料、または発泡材料を含む。弾力性の損失が発生すると、そのような弾力性に依存して接点を互いに弾性連絡させている電気的に接続が不完全になる可能性がある。高温で、または振動がある中でエラストマーコネクタがわずかに移動することにより、望ましくない導電性問題が引き起こされる可能性がある。
【０００９】
隣接する端子をはんだでブリッジすることなしに隣接する構成部品間で端子またはコネクタをはんだ付けする、または接続するのは極めてしばしば困難であることが観察されている。また、製造工程中にも後続の最終製品の使用時にも、構成部品間の正しい相対位置（“位置合わせ（ｒｅｇｉｓｔｒａｔｉｏｎ）”と呼ばれることもある）を維持し、かつ確保することは困難である。
【００１０】
信頼できるコンパクトな構成で液晶ディスプレイと一体化することが可能なコネクタが業界内で必要とされている。安全に電気的に連結させることにより、高温および振動の条件で、ＬＣＤ群の信頼できる長期使用を助ける接続システムを使用するディスプレイ装置が非常に望ましいであろう。製造中および使用中に電気的接点の信頼できる位置合わせを助けるシステムおよび装置もまた必要とされている。
【００１１】
（発明の概要）
本発明では、液晶ディスプレイを回路基板に相互接続するための電気コネクタが提供される。コネクタは、光を透過して液晶ディスプレイを照明することが可能な構成を有する材料から構成された絶縁本体を具備する。いくつかの応用分野では、光を透過または分散することが可能な構成要素を有するコネクタが“ライトガイド（ｌｉｇｈｔｇｕｉｄｅ）”と呼ばれる。絶縁本体（ｉｎｓｕｌａｔｉｎｇ ｂｏｄｙ）は、光を透過してディスプレイを照明するように適合される。レッグ部材（ｌｅｇ ｍｅｍｂｅｒ）は絶縁本体上に配置され、液晶ディスプレイは電気的に接続された回路基板に隣接して配置するように構成される外側表面を含む。さらに、少なくとも１つのコネクタ要素（ｃｏｎｎｅｃｔｏｒ ｅｌｅｍｅｎｔ）が、絶縁本体と共に構成される。
【００１２】
本発明の一実施形態では、コネクタ要素は、レッグ部材の外側表面を超えて延びる第１の接触フット（ｃｏｎｔａｃｔ ｆｏｏｔ）を具備し、液晶ディスプレイと電気的に連結することを可能にすることができる。さらに、回路基板と電気的に連結するために、第２の接触フットがレッグ部材の外側表面を超えて延びる。この実施形態では、コネクタは、ＬＣＤおよび回路基板上に位置する電気的接点とコネクタ要素を位置合わせするために位置決めされる。
【００１３】
本発明の一実施形態では、コネクタ要素は、第１の端部（ｅｎｄ）と第２の端部を有する“Ｕ字形”部材（Ｕ−ｓｈａｐｅｄ ｍｅｍｂｅｒ）を含み、Ｕ字形部材は、第１の端部上に画定された（ｄｅｆｉｎｅｄ）接触フットと第２の端部上に画定された接触フットとを有するアーム部分（ａｒｍ ｐｏｒｔｉｏｎ）を有する。コネクタ要素はまた、本体内に構成されたレッグ部材に巻き付き、その上に嵌合する閉じた端部を具備する。
【００１４】
本発明の他の実施形態では、コネクタは、本体自体の中に設けられた開口を含む。さらに、レッグ部材は、位置合わせ（ａｌｉｇｎ）され、かつ本体から分離された複数のコネクタ要素を含む。本体（ｂｏｄｙ）内の開口（ｏｐｅｎｉｎｇ）は、少なくとも一部がレッグ部材と本体の間に位置する。
【００１５】
本発明の少なくとも１つの実施形態は、閉じた端部および反対側に面するアーム構成に曲げられたストリップ部材を具備するコネクタ要素を含む。接触フットはアーム上に画定され、少なくとも１つのアームは、ＬＣＤの電気的接点に弾性力を加えるように適合される。
【００１６】
本発明の追加の目的および利点については、以下の説明の中で一部を述べ、あるいは説明から明らかになることも、本発明の実施を介してわかることもある。
【００１７】
本発明の完全な、権能を付与する開示について、当業者に示す最良の形態を含めて、本明細書で述べる。以下の図が本発明を示す。
【００１８】
（詳細な説明）
次いで、１つまたは複数の例が図面に示されている本発明の現在好ましい実施形態を詳しく参照する。各例は本発明を説明するためのものであり、本発明を限定するものではない。たとえば、一実施形態の一部として示し、または述べる特徴は、他の実施形態で使用してさらに他の実施形態を生み出すことができる。本発明は、そのような修正形態および変形形態を含むものとする。
【００１９】
携帯電話など無線電話は、個人用にも商用にも普及しつつある。無線電話はより小型になり、より好都合な収納と可搬性を実現した。したがって、無線電話内で電子構成部品を収容（ｈｏｓｔ）する回路基板上のスペースまたは“敷地（ｒｅａｌ ｅｓｔａｔｅ）”が制限され、貴重になっている。
【００２０】
ライトガイドは、無線電話など照明付き電子デバイス内に設けられる構造であり、たとえば、デバイス内にある光源によって半透明キーのキーパッドを証明するために使用することができる。ライトガイドはまた、無線電話用のキーパッドと液晶ディスプレイを支持するために使用することができる。ライトガイドは、電子構成部品を収容して遠隔通信信号（ｔｅｌｅｃｏｍｍｕｎｉｃａｔｉｏｎ ｓｉｇｎａｌ）を生成し、かつ受信するための回路基板上に直接配置することができる。その結果、ライトガイドは、かなりの回路基板の敷地を占有する可能性がある。その結果、一般にライトガイド下の回路基板スペースは、電子構成部品を収容するために使用することができない可能性がある。
【００２１】
１つまたは複数の壁部分（ｗａｌｌ ｐｏｒｔｉｏｎ）がライトガイドの面から垂れ下がり、ライトガイドと回路基板の間で離隔された関係を維持することができる。これらの壁部分は、回路基板面と接し、それによって、ライトガイドがハウジング内に固定されたとき回路基板面とライトガイド面の間で１つまたは複数の区画を画定するように構成することができる。
【００２２】
一般に、本明細書に開示する本発明は、セルラまたは無線電話、あるいは液晶ディスプレイを含む本質的にいかなる他の電子デバイスとも共に使用することができる。ＩＴＯ（インジウムスズ酸化物）パッドと呼ばれる接点領域（ｃｏｎｔａｃｔ ａｒｅａ）は、ディスプレイの表面上で小さな接点領域を含み、コネクタとディスプレイ間に電気的に連結経路を形成する。
【００２３】
本発明では、ライトガイドとコネクタの組み合わせが提供され、２重の機能を実行する。第１に、この組み合わせ構成部品（ｃｏｍｂｉｎａｔｉｏｎ ｃｏｍｐｏｎｅｎｔ）は光分散デバイス（ｌｉｇｈｔ ｄｉｓｐｅｒｓａｌ ｄｅｖｉｃｅ）として動作し、第２に、コネクタおよび絶縁体（ｉｎｓｕｌａｔｏｒ）として動作する。一般に、１つまたは複数の発光ダイオードが光源（ｓｏｕｒｃｅ ｏｆ ｌｉｇｈｔ）を形成し、ライトガイドによって分散または透過される。ライトガイドは、光を液晶ディスプレイに向かって反射するように適合される。光源はライトガイドによって受け取られる光を提供し、次いでその光が合焦され、それによって、さらに以下で提供するように、ライトガイドを介した光の損失を低減する。
【００２４】
図１に転じると、コネクタアセンブリ（ｃｏｎｎｅｃｔｏｒ ａｓｓｅｍｂｌｙ）１１が斜視図で示され、液晶ディスプレイ２２（ＬＣＤ）が図の上部にある。コネクタ２３が液晶ディスプレイ２２より下に示されており、コネクタ２３は、回路基板２６と接続するように適合された絶縁本体（ｉｎｓｕｌａｔｉｎｇ ｂｏｄｙ）２４を有する。コネクタ要素（ｃｏｎｎｅｃｔｏｒ ｅｌｅｍｅｎｔ）２７は、コネクタ２３上のレッグ部材（ｌｅｇ ｍｅｍｂｅｒ）２５に沿って並んで設けられている。コネクタ２３は、以下でさらに述べるように、アセンブリが一体化されたとき、光を透過して液晶ディスプレイ２２を照明するように適合された絶縁本体２４を有する。位置合わせ穴（ｒｅｇｉｓｔｒａｔｉｏｎ ｈｏｌｅ）２９ａは、整列ピン（ａｌｉｇｎｍｅｎｔ ｐｉｎ）３７ａを受けるように適合され、整列ピン３７ａは、コネクタ要素２７を回路基板２６の接触パッド（ｃｏｎｔａｃｔ ｐａｄ）２８との正しい位置合わせ（ｃｏｒｒｅｃｔ ｒｅｇｉｓｔｒａｔｉｏｎ）で正確に配置する。
【００２５】
図２Ａは、コネクタアセンブリ１１の分解図を示す。本発明では、１つまたは複数の発光ダイオード（“ＬＥＤ”）１６ａ−ｂを光源として設けることができる。発光ダイオード１６ａ−ｂは、通常それらが取り付けられるプリント回路基板２６に差し込まれ、電気的に連結によって電力供給される。発光ダイオード１６ａ−ｂの数は、少なくは１個、多くは十数個以上とすることができよう。一実施形態では、そのような発光ダイオード１６ａ−ｂが２個で十分であることが判明した。合焦要素（ｆｏｃｕｓｉｎｇ ｅｌｅｍｅｎｔ）１８ａおよび１８ｂは、発光ダイオード１６ａ−ｂによって生成された光を絶縁本体２４上に合焦するように働く。絶縁本体２４の上部表面（ｕｐｐｅｒ ｓｕｒｆａｃｅ）２０ａが示されている。裏当てカード（ｂａｃｋｉｎｇ ｃａｒｄ）１４は、絶縁本体２４のすぐ下に位置することができる任意選択の特徴である。
【００２６】
絶縁本体２４は、透明なポリカーボネート、あるいは他の適切なポリマー材料またはアクリル材料から構築することができる。１つの適切な材料は、“ＭＡＫＲＡＬＯＮ”の商品名でＢａｙｅｒ  Ｃｈｅｍｉｃａｌ  Ｃｏｍｐａｎｙから入手可能である（“Ｍａｃｋｒａｌｏｎ”はＢａｙｅｒ  Ｃｈｅｍｉｃａｌ  Ｃｏｍｐａｎｙの商標と思われる）。絶縁本体２４の厚さは、一般に約２ｍｍ未満であり、より好ましくは約１ｍｍ未満であり、本発明のいくつかの特定の実施形態では、０．７ｍｍ以下とすることができる。
【００２７】
通常、発光ダイオード１６ａ−ｂは、ダイオード１６ａ−ｂを出る光路が互いに向かって角度をなすように配置される。合焦要素１８ａ−ｂは、発光ダイオード１６ａ−ｂから受けた光を、絶縁本体２４の平面に向かって、またはその中に曲げるように構成される。一般に、絶縁本体２４内の光路間はローアングルである。絶縁本体２４内の光の多くは内部反射によって反射され、それによって絶縁本体２４を通過する間に光の損失が減少する可能性がある。一部の反射光は、液晶ディスプレイ２２に向かって上向きに向けて送られる。
【００２８】
図２Ｂは、コネクタアセンブリ１１の一部の側面図を示す。絶縁本体２４の動作は、液晶ディスプレイ２２が、合焦要素１８ａ−ｂを有する絶縁本体２４の上に設けられているこの図２Ｂを参照することによって観察することができる。絶縁本体２４は、上部表面２０ａおよび下部表面２０ｂを含み、プリント回路基板２６が絶縁本体２４より下に位置する。いくつかの実施形態では、裏当てカード１４をプリント回路基板２６と絶縁本体２４の間に設けることができる。ハウジング１７内に位置する発光ダイオード１６は、光源を形成する。ハウジング１７の内部反射表面１５は、絶縁本体２４内への最大の光反射率を提供する。一般に、絶縁本体２４は、発光ダイオード１６ａ−ｂから放たれた光を液晶ディスプレイ２２に向かって上向きに反射／拡散する表面構成物（ｓｕｒｆａｃｅ ｆｏｒｍａｔｉｏｎ）（図示せず）を備える。裏当てカード１４は、液晶ディスプレイ２２の表面全体に一様な光強度を提供する際に助けとなり、それにより、光をデバイスの４隅すべてから送る必要がない。光学（ｏｐｔｉｃａｌ）裏当てカード１４は、プリント回路基板２６を視界から遮るために設けられ、輝度を高めるために白色とすることができる。プリント回路基板２６を隠す他の手段は、絶縁本体２４の下側または下部表面２０ｂに不透明コーティングを被着することである。
【００２９】
図３は、底部からのコネクタアセンブリ１１の分解図を示し、下部表面上に位置合わせ穴２９ａ−ｂを有する回路基板２６がわかる。さらに、位置合わせ穴２９ｂ内に挿入するように適合された整列ピン３７ｂを有するコネクタ２３のレッグ部材２５が示されている。さらに、液晶ディスプレイ２２は、コネクタ２３から光を受ける。レッグ部材２５に沿って位置するコネクタ要素２７は、コネクタ２３の上部表面上で液晶ディスプレイ２２の接触パッド３８と相互作用するように適合され、コネクタ要素２７は、コネクタ２３の表面より下で回路基板２６と相互作用する。
【００３０】
図４では、コネクタ２３の上面図が示されている。絶縁本体２４は、一方の側に沿って、レッグ部材２５に沿って離隔されたコネクタ要素２７を有するレッグ部材２５を含む。絶縁本体２４の反対側では、位置合わせの特徴３９ａおよび３９ｂが示され、位置合わせの特徴３９ｃおよび３９ｄの反対側を向いている。位置合わせの特徴３９ａ−ｄは、コネクタ２３を、回路基板２６（図４には図示せず）の縁部上に位置する対応する特徴と連動させるために設けられている。これらの位置合わせの特徴３９ａ−ｄは、コネクタ２３が正確に正しい位置に設けられ、コネクタ要素２７を、液晶ディスプレイ２２と回路基板２６上どちらの対応する接触パッドとも確実に対合するようにする。さらに、位置合わせの特徴３９ａ−ｄはまた、コネクタ２３を固定して使用中の不必要な振動または移動を回避する際に助けとなる。
【００３１】
図５は、図４に示されたコネクタ２３の端面図を示し、絶縁本体２４に取り付けられたレッグ部材２５に沿ってコネクタ要素２７を伴う。コネクタ２３のどちらの側にも整列ピン３７ａ−ｂがある。さらに、位置合わせの特徴３９ａおよび３９ｃがコネクタ２３の縁部に見られる。
【００３２】
図６は、絶縁本体２４が示され、整列ピン３７ａおよび３７ｃが絶縁本体２４の下側上に示されるコネクタ２３の側面図を示す。第１の接触フット（ｃｏｎｔａｃｔ ｆｏｏｔ）４１および第２の接触フット４２は、それぞれ電気的に連結のためにレッグ部材２５より上と下に延びる。
【００３３】
図７では、線７−７（図４参照）に沿って横断面図がとられ、開口（ｏｐｅｎｉｎｇ）４６によってレッグ部材２５から分離された絶縁本体２４がわかる。開口４６は、コネクタ２３の製造中にキャリアストリップ（ｃａｒｒｉｅｒ ｓｔｒｉｐ）（図示せず）が使用されるポイントであり、キャリアストリップは、“Ｕ字形”部材４３がレッグ部材２５に固定されるポイントで製造中に開口４６を介して“打ち出（ｐｕｎｃｈｅｄ ｏｕｔ）”される。Ｕ字形部材４３は、両端部上にアーム部分（ａｒｍ ｐｏｒｔｉｏｎ）４４およびアーム部分４５を有する。さらに、第１の接触フット４１および第２の接触フット４２は、絶縁本体２４の上側および底側上で可撓的に係合／接続（ｅｎｇａｇｅ ｏｒ ｃｏｎｎｅｃｔ）する。
【００３４】
図８では、図７のものと同様な横断面図が提供されているが、ＬＣＤディスプレイに結合するように適合された平坦接合接点（ｆｌａｔ ｂｏｎｄｅｄ ｃｏｎｔａｃｔ）１４１を有するコネクタ１２３の他の実施形態が示されている。平坦アーム部分（ｆｌａｔ ａｒｍ ｐｏｒｔｉｏｎ）１４４が設けられ、Ｕ字形部材１４３から延びる。アーム部分１４５は、プリント回路基板１３９と対合接続（ｍａｔｉｎｇ ｃｏｎｔａｃｔ）するためにコネクタ１２３から下向きに延びる。接触フット１４２は、アーム部分１４５から下に延びる。開口１４６は、絶縁本体１２４とレッグ部材１２５の間でスペースを提供する。整列ピン（ａｌｉｇｎｍｅｎｔ ｐｉｎ）１３７ａがコネクタ１２３より下に示され、動作のために他の電子構成部品と位置合わせしてコネクタ１２３を固定するための手段を提供する。
【００３５】
図９は本発明のさらに他の実施形態を示し、図９に示すように、一体化されたアセンブリ１３２は、液晶ディスプレイ２２２（ＬＣＤ）の上部表面上で電気接触を容易にする構成で設けられたレッグ部材２２５を含む。図９では、液晶ディスプレイ２２２がコネクタと対合し、コネクタは、図９の下部に示す回路基板２２６に対合する。
【００３６】
図１０では、図９の線１０−１０に沿ってとられた部分横断面が示されている。コネクタ２２３は、アセンブリ１３２のレッグ部材２２５に巻き付くＵ字形部材２４３を含む。Ｕ字形部材２４３は、アーム部分２４４およびアーム部分２４５を含む。接触フット２４２は、接触パッド２５０を有するプリント回路基板２２６（図１０では図示せず）と弾性接触するように適合される。上部接触フット２４１は、液晶ディスプレイ２２２の上部表面に弾性係合する。ディスプレイは、液晶ディスプレイ２２２の上部で、図９に示すように複数の接点要素と位置合わせして整列した接触パッドを有することができる。絶縁本体２２４の下側上の整列ピン２３７ａもまた、位置合わせして構成部品を整列するために設けられる。開口２４６は、コネクタ２２３の絶縁本体２２４に隣接して示されている。
【００３７】
図９の一体化されたディスプレイアセンブリ１３２を組み立てるとき、液晶ディスプレイ２２２をコネクタ２２３の絶縁本体２２４の上部で、レッグ部材２２５の内部表面に接して機械的に配置することによってコネクタ２２３が組み立てられ、それによって、接触フット２４１と、液晶ディスプレイ２２２の上部表面２５２との間で接触を容易にする。常にではないが、接触フット２４１は通常、図の液晶ディスプレイの上部表面上でＩＴＯパッド（図１０では図示せず）を弾性接触させる。しかし、他の応用例では、接触フット２４１など接触フットを受ける導電性トレースまたは導電性ラインがある可能性がある。
【００３８】
本発明の範囲および精神から逸脱することなく、様々な修正および変形を本発明に加えることができることを当業者は理解されたい。本発明は、添付の特許請求の範囲およびその均等物内の範囲および精神に入るそのような修正形態および変形形態を含むものとする。
【図面の簡単な説明】
【図１】
ディスプレイと回路基板を電気接触させるように適合されたコネクタを示す液晶ディスプレイアセンブリの斜視図である。
【図２Ａ】
コネクタアセンブリを含む液晶ディスプレイの構成部品の分解図である。
【図２Ｂ】
ライトガイドを示すアセンブリの側面図である。
【図３】
アセンブリの下側の斜視図であり、アセンブリの各部が容易に識別できるように分離されている。
【図４】
本発明の絶縁本体（“ライトガイド”と呼ばれることもある）の先端図である。
【図５】
図４に示された絶縁本体の端面図である。
【図６】
図４に示された絶縁本体の側面図である。
【図７】
図６に示された絶縁本体の横断面図である。
【図８】
図７に示されたものと同様な第２の横断面図であるが、図８の接点は、アセンブリが組立て済み構成内で完全に接続されたとき、押し下げられている。
【図９】
ＬＣＤディスプレイの上部表面上に接点接続を有する本発明の他の実施形態を示す斜視図である。
【図１０】
図９に示された線１０−１０に沿ってとられた、図９に示された構造の一部分の横断面図である。
【図１】
2004520630.tif 000003
【図２Ａ】
2004520630.tif 000004
【図２Ｂ】
2004520630.tif 000005
【図３】
2004520630.tif 000006
【図４】
2004520630.tif 000007
【図５】
2004520630.tif 000008
【図６】
2004520630.tif 000009
【図７】
2004520630.tif 000010
【図８】
2004520630.tif 000011
【図９】
2004520630.tif 000012
【図１０】
2004520630.tif 000013
【国際公開パンフレット】
2004520630.tif 000014
2004520630.tif 000015
2004520630.tif 000016
2004520630.tif 000017
2004520630.tif 000018
2004520630.tif 000019
2004520630.tif 000020
2004520630.tif 000021
2004520630.tif 000022
2004520630.tif 000023
2004520630.tif 000024
2004520630.tif 000025
2004520630.tif 000026
2004520630.tif 000027
2004520630.tif 000028
2004520630.tif 000029
2004520630.tif 000030
2004520630.tif 000031
2004520630.tif 000032
2004520630.tif 000033
2004520630.tif 000034
2004520630.tif 000035
2004520630.tif 000036
2004520630.tif 000037
2004520630.tif 000038
2004520630.tif 000039
【国際調査報告】
2004520630.tif 000040